(57)【要約】    【課題】  誘導灯、屋外灯、非常灯、標識、広告など屋外に設置するのに最適なＬＥＤ照明パネルを提供する。    【解決手段】  電柱(20)の外周面に嵌め合わせ可能な曲率の半円筒状をなす導光板(11)と、導光板の光伝搬方向の端面に設けられ、導光板内部に光を入射するＬＥＤユニット(14)と、導光板の背面側に設けられ、電柱の外面に嵌め合わせ可能な曲率の半円筒状をなし、伝搬する光を前方に反射する反射板(12)と、導光板及び反射板を電柱に取付けるための取付け金具(15)と、を備える。【選択図】  図１
2010033862.tif 000002
【特許請求の範囲】
【請求項１】
電柱の外周面に嵌め合わせ可能な曲率の半円筒状をなす導光板と、
該導光板の光伝搬方向の端面に設けられ、上記導光板内部に光を入射するＬＥＤユニットと、
上記導光板の背面側に設けられ、電柱の外面に嵌め合わせ可能な曲率の半円筒状をなし、伝搬する光を前方に反射する反射板と、
上記導光板及び反射板を電柱に取付けるための取付け金具と、
を備えたことを特徴とする屋外用ＬＥＤ照明パネル。
【請求項２】
上記導光板及び反射板は、上記導光板が２ｍｍ〜８ｍｍの厚みを有し、上記反射板の曲率半径Ｒが１５０ｍｍ以上となるような半円筒状に形成されている請求項１記載の屋外用ＬＥＤ照明パネル。
【請求項３】
上記ＬＥＤユニット駆動用のソーラパネルを更に備えるようにした請求項１記載の屋外用ＬＥＤ照明パネル。
【発明の詳細な説明】
【技術分野】
【０００１】
本発明は屋外用ＬＥＤ照明パネルに関し、特に誘導灯、屋外灯、非常灯、標識、広告など屋外に設置するのに最適なＬＥＤ照明パネルに関する。
【背景技術】
【０００２】
例えば、誘導灯や標識は地震等の災害発生時や夜間の屋外通行時などにおいて住民の避難や通行を誘導するという重要な機能を発揮する。従来の誘導灯や標識は金属製プレートやプラスチック製プレートに文字や図柄を描き、路肩に立てた支柱にプレートを固定し、あるいは高い支柱や電柱からプレートを吊り下げていたが、路肩の支柱が交通の邪魔になるおそれがあるばかりでなく、夜間には見え難かった。
【０００３】
これに対し、複数のＬＥＤの光を導光板に入射して伝搬させ、導光板のドットパターンで反射させ、前方の表示板を発光させるようにしたＬＥＤ照明パネルが実用化されている（特許文献１、特許文献２）。
【０００４】
【特許文献１】特開２００４−２６５８１３号公報
【特許文献２】特開２００８−１３０３３６号公報
【発明の開示】
【発明が解決しようとする課題】
【０００５】
しかしながら、従来の屋外用ＬＥＤ照明パネルでは高い支柱から吊り下げるようにしていたので、依然として路肩などに支柱を立てる必要があって交通の邪魔になるおそれがあった。
【０００６】
本発明はかかる問題点に鑑み、路肩などに支柱を立てることなく簡単に設置できるようにした屋外用ＬＥＤ照明パネルを提供することを課題とする。
【課題を解決するための手段】
【０００７】
そこで、本発明に係る屋外用ＬＥＤ照明パネルは、電柱の外周面に嵌め合わせ可能な曲率の半円筒状をなす導光板と、該導光板の光伝搬方向の端面に設けられ、上記導光板内部に光を入射するＬＥＤユニットと、上導光板の背面側に設けられ、電柱の外面に嵌め合わせ可能な曲率の半円筒状をなし、伝搬する光を前方に反射する反射板と、上記導光板及び反射板を電柱に取付けるための取付け金具と、を備えたことを特徴とする。
【０００８】
本発明の特徴の１つは導光板を半円筒状に形成し、電柱の外周面に嵌め合わせて取付けるようにした点にある。これにより、支柱を立てることなくＬＥＤ照明パネルを設置できるので、交通に邪魔になることはなく、又設置作業も簡単に済む。
【０００９】
また、高い支柱から吊り下げるのではなく、電柱の外周面に取付けるようにしているので、ほぼ人の目の高さにＬＥＤ照明パネルを設置することができ、昼夜を問わず視認しやすい。その結果、災害発生時や夜間通行時の誘導灯や標識に有用であるばかりでなく、屋外照明灯、非常灯、宣伝広告用パネルなどにも適用でき、その有用性は大である。
【００１０】
導光板を円筒状に湾曲させた場合、曲率が大きいと、導光板に入射した光が伝搬できないおそれがある。そこで、導光板及び反射板は、導光板が２ｍｍ〜８ｍｍの厚みを有するとき反射板の曲率半径Ｒが１５０ｍｍ以上となるような半円筒状に形成することが必要である。
【００１１】
ＬＥＤユニットの電源は商用電源やバッテリでもよいが、メンテナンス性を考慮すると、ソーラパネルを設けてＬＥＤユニットを駆動するのがよい。
【００１２】
導光板は十分な透光性を有する材料であれば特に限定されず、熱可塑性樹脂や熱硬化性樹脂を採用できるが、屋外に装備される点を考慮すると、例えばポリカーボネート樹脂が好ましい。
【００１３】
また、ＬＥＤ（Light Emitting Diode; 発光ダイオード）は赤色ＬＥＤ、青色ＬＥＤ、緑色ＬＥＤを単色で用いてもよく、組合せて用いることもできる。
【発明を実施するための最良の形態】
【００１４】
以下、本発明を図面に示す具体例に基づいて詳細に説明する。図１ないし図４は本発明に係る屋外用ＬＥＤ照明パネルの好ましい実施形態を示す。本例のＬＥＤ照明パネル１０は電柱２０の大きさ（半径１７２ｍｍ、外周１０８０ｍｍ）に対応して高さが５００ｍｍ、横方向長さＬが５４０ｍｍ、曲率半径Ｒが１７４ｍｍの半円筒状に製作され、取付け金具１５と締結バンド（図示せず）とによって電柱２０の外周面に取付けられるようになっている。
【００１５】
このＬＥＤ照明パネル１０は導光板１１、反射板１２及び表面パネル１３を積層して構成され、導光板１１、反射板１２及び表面パネル１３はポリカーボネート樹脂を用いて製作され、ＬＥＤ照明パネル１０の両端には商用電源を電源とするＬＥＤユニット１４が取付けられ、導光板１１内に光を入射するようになっている。
【００１６】
また、導光板１１の背面には光反射ドット部が例えばレーザー加工などによって形成され、光反射ドット部は導光板１１の中央に向かうにつれて密度又は面積が大きくなるように形成されている。
【００１７】
表面パネル１３には用途に応じた文字や図柄、例えば避難誘導用、宣伝広告用の文字や図柄が刻設されあるいはスクリーン印刷などによって描かれている。夜間照明の場合には表面パネル１３は無地のままとしてもよく、宣伝広告の印刷を行ってもよい。
【００１８】
本例のＬＥＤ照明ユニット１０は電柱２０の１５００ｍｍ〜２０００ｍｍの高さにて電柱２０の外周に被せ、取付け金具１５に締結バンド（図示せず）を引っ掛け、締結バンドを締め付けて取付ける。
【００１９】
ＬＥＤユニット１４内の駆動回路によってＬＥＤを駆動すると、導光板１１内には側方から光が入射され、導光板１１内を光が伝搬されるが、そのとき光は光反射ドット部と反射板１２によって前方に反射され、表面パネル１３を照明する。
【００２０】
ＬＥＤ照明ユニット１０は電柱２０の目の高さに取付けているので、視認識しやすく、避難の誘導、交通の案内、夜間照明を効率よく行うことできるとともに、宣伝広告にも有用である。
【００２１】
また、電柱２０からほとんど突き出ていないので、通行の邪魔にならず、町並みや景観を損なうこともない。
【００２２】
ＬＥＤユニット１４は商用電源を電源としたが、ソーラパネルを電源として用いることもできる。この場合、ソーラパネルはＬＥＤ照明パネル１０と別体に設けるようにしてもよく、反射板１２の位置に設けることもできる。
【図面の簡単な説明】
【００２３】
【図１】本発明に係る屋外用ＬＥＤ照明パネルの好ましい実施形態を電柱に取付けた状態を示す概略図である。
【図２】上記実施形態を示す斜視図である。
【図３】上記実施形態を示す平面図である。
【図４】上記実施形態における要部を示す構成図である。
【符号の説明】
【００２４】
１０      屋外用ＬＥＤ照明パネル
１１      導光板
１２      反射板
１３      表面パネル
１４      ＬＥＤユニット
２０      電柱
【図１】
2010033862.tif 000003
【図２】
2010033862.tif 000004
【図３】
2010033862.tif 000005
【図４】
2010033862.tif 000006